(57)【要約】      （修正有）【課題】エンジン部の熱で作業者の背中が熱くならず、作業効率を向上させる背負い式刈払機を提供する。【解決手段】刈払機１において、背当て部３とエンジン部５との間に遮熱板１２を設ける。【選択図】図１
0003172604.tif 000002
【実用新案登録請求の範囲】
【請求項１】
背負い式の刈払機１において、背負い用の背当て部３とエンジン部５との間に遮熱板１２を設け、背中へのエンジン部５からの熱を遮断する事を特徴とした背負い式刈払機。
【考案の詳細な説明】
【技術分野】
【０００１】  本考案は、背負い式刈払機で草刈り作業を行う時に、刈払機のエンジン部の熱で背中が熱くなる事を防止する方法の考案に関するものである。
【背景技術】
【０００２】  刈払機は草や芝などの刈り取り等に便利に汎用されている。その刈払機には、非特許文献１にも示されているように作業者が肩に掛ける肩掛け式と背負う背負い式とがあるが、背負い式の方が肩掛け式に比べて作業性は総体的に良い。その作業性を改善するための提案も例えば特許文献１〜５の様に提案されている。ただ、まだ残された課題、例えばエンジン部の熱で背中が熱くなる時があるなどの課題もあり、本考案はその改善を行ったものである。
【先行技術文献】
【特許文献】
【０００３】
【特許文献１】特開２０１１−０７２３０１
【特許文献２】特開２０１１−０５５７７４
【特許文献３】特開２０１１−０２４５５７
【特許文献４】特開２００８−１２５５４６
【特許文献５】特開平１１−０７５４６８
【非特許文献】
【０００４】
【非特許文献１】「刈払機・畦刈／ヘッジトリマー」株式会社丸山製作所（平成２２年３月作成５３０８５０）
【考案の概要】
【考案が解決しようとする課題】
【０００５】  市販の背負い式刈払機１は、図５に示す様に、エンジン部５、吸気部６、燃料タンク７、操作棹８等一式をフレーム２に搭載したものであり、また背当て部３も設けてあり、その背当て部３を背中に当て背負い用ベルト４で背負って作業を行う。背当て部３は背負った時に背中に当たる部分なので、その材料や形状等にそれなりの工夫がしてあって背負い易くなっている。【０００６】  しかし、エンジン部５が背当て部３を向いた場合には、そのエンジン部５の出す熱で背当て部３があっても熱せられ背中が大変熱くなり作業に支障をきたす。その為、本考案はそうしたエンジン部５からの熱で背中が熱くならない方法の考案を目的とした。
【課題を解決するための手段】
【０００７】  本考案は、上記課題解決にあたり、背負い用の背当て部３とエンジン部５との間に遮熱板１２を設け、背当て部３へのエンジン部５からの熱を遮断する方法により解決した。
【考案の効果】
【０００８】  上記課題解決の為に、遮熱板を背当て部とエンジン部との間に設けたので背当て部が熱くならず、背中も熱くならないという効果が得られた。背中が熱くならないので作業を継続的に行う事が出来て作業効率も向上するという効果も得られた。【０００９】  また、遮熱板の装着に際しては、既存の刈払機の構造等に特別の変更等必要なく、更に遮熱板はシンプル形状の板状物であるので、それを装着しても刈払機の操作性や重さ等は大差なく、従来の慣れた操作で草刈り作業が出来て大変扱い易いという効果に加え、製作費用も廉価で済むという効果も得られた。
【図面の簡単な説明】
【００１０】
【図１】本考案の遮熱板を背当て部側に装着の刈払機の正面図。
【図２】同上遮熱板装着図をエンジン側から見た斜視図。
【図３】本考案の遮熱板をエンジン部側に装着の刈払機の正面図。
【図４】同上遮熱板装着図を背当て部側から見た図（図３のＸ−Ｘ’視野図）。
【図５】市販の背負い式刈払機の正面図。
【考案を実施するための形態】
【００１１】  上記課題解決の為に種々の検討を行った。その際、図５に見られる様に、背当て部３を装着してあるフレーム２とエンジン部５との間にはスペースがあるので、それに着目しこのスペース部分を利用しエンジン部５からの熱を遮断出来ないか検討を行った。その結果、このスペース部分に作業に支障を来さない様な形状や重さ等の遮熱板１２を設ければ、エンジン部５からの熱は遮断され背中は熱くならず、課題を解決する事が出来た。
以下、実施例にもとづき更に本考案について説明する。なお、本考案はこれら実施例に限定されるものではない。
【実施例１】
【００１２】  本実施例は、遮熱板１２を背当て部３側に取り付けた実施例である。図１と図２にその実施例図を示す。図１は、図５に示す市販の刈払機１の背当て部３を取り付けてあるフレーム２に遮熱板１２を装着した正面図で、図２はその装着状況をエンジン部側から見た斜視図である。【００１３】  遮熱板１２としては厚さ３ｍｍのアクリル板を使用し、それを図１、図２に示す様に、取付金具１４Ａでフレーム２に取り付けた。その取付け位置は、背当て部３が取り付けてある側とは反対側（図１でフレーム２の右側）に装着した。その装着には、取付金具１４Ａとしてサドルバンドを使用し、４ヶ所で固定し取り付けた。【００１４】  この様にして形成した本考案の図１に示す刈払機１を、背負い用ベルト４を利用し背中に背負って作業したところ、背当て部３を通してのエンジン部５からの熱は大幅に低減され背中に熱さを特に感じなくなり、草刈り作業は大変スムーズに行えた。【００１５】  また、草刈りの作業は右手側で行ったり左手側で行ったりするが、その時には、操作棹８や刃物９を身体の右側や左側へ回転移動させる。この回転は回転台１０で行うが、その時には回転台１０に搭載されているエンジン部５、吸気部６、燃料タンク７等も一緒に右側や左側へ回転する。その時に、フレーム２とエンジン部５との間のスペースに設けた遮熱板１２がその回転の妨げにならないか心配されたが全く支障はなかった。遮熱板１２の形状は、この様に回転の妨げとならない板状形状が好適である。【００１６】  取り付けた遮熱板１２は厚さ３ｍｍのアクリル板であるので重さも軽く、遮熱板１２を装着した刈払機１を背負っても重くなった感じはなく、動作や操作作業性にも違和感はなくスムーズに草刈り作業が行えた。また、右手側、左手側のどちら向きで作業しても背中には熱さは感じられなかった。【００１７】  この遮熱効果は、遮熱板１２自体での遮熱効果に加え、遮熱板１２とエンジン部５との間の空間、更には遮熱板１２と背当て部３との間にフレーム２の幅で存在する空間の効果も相まって得られたものである。【００１８】  この優れた遮熱効果を示す遮熱板１２装着の刈払機１は、市販の刈払機１の構成や構造等を特に変更する事なく、遮熱板１２をフレーム２に取付金具１４Ａで取り付けたシンプル構造であるので、製作コストも低廉で済み、また使い易いので、大変実用的である。
【実施例２】
【００１９】  本実施例は、遮熱板１２を背当て部３側ではなくエンジン部５側に取り付けた実施例である。図３と図４にその実施例図を示す。図３は、図５に示す市販の刈払機１のエンジン部５側に遮熱板１２を装着の正面図を、図４はそれを背当て部３側から（図３のＸ−Ｘ’方向視野で）見た図である。【００２０】  実施例１は遮熱板１２としてアクリル板を使用した実施例であるが、本実施例は厚さ１ｍｍのアルミ板を使用し、それを図３や図４に示す様にエンジン部５側に取り付けた実施例である。その取り付けに際しては、エンジン部５に密着させず、エンジン部５との間に空間を有する様に取り付け、エンジン部５の熱が遮熱板１２へ直に伝達しない様にした。【００２１】  遮熱板１２の取り付けは、図５の市販の刈払機１の回転台１０に設けられているサポート板１１とそこの取付金具１４を利用し取り付けた。サポート板１１は、その上部にエンジン部５、吸気部６、燃料タンク７等を取付金具１４で取り付け保持する役目のもので、回転台１０と一体となって回転する。このサポート板１１に、図３や図４に示す様に、Ｌ字形状の帯状の取付板１３を取付金具１４を利用し取り付け、遮熱板１２はこの取付板１３に取付金具１４Ｂで取り付ける。この様に遮熱板１２は取付板１３を介してサポート板１１へ、更に回転台１０へと取り付け装着。なお、取付板１３としては遮熱板１２と同等のアルミ板を使用し、それを図４に示す様に遮熱板１２の下部左右の２ヶ所に取り付けた。【００２２】  遮熱板１２の取り付けの位置は、図３に示す様に、吸気部６側ではなくエンジン部５側とし、エンジン部５が背当て部３側を向いた時にエンジン部５からの熱を遮断出来る様に取り付ける。即ち、熱を発生しない吸気部６側等ではなく、エンジン部５の様に熱を発生する側の方を遮蔽する様に取り付ける。【００２３】  この様に遮熱板１２を吸気部６側でなくエンジン部５側に取り付けておけば、作業中に操作棹８を身体の右側や左側等へ回転させても、エンジン部５が背当て部３の方を向いた時には必ず遮熱板１２が背当て部３とエンジン部５の間に位置しその熱を遮断するので、背中が熱くならず作業をスムーズに行う事が出来る。なお、本実施例の刈払機１も、その操作性や作業性等は実施例１の刈払機と同様であり大変使い易い。
【符号の説明】
【００２４】１、刈払機
２、フレーム
３、背当て部
４、背負い用ベルト
５、エンジン部
６、吸気部
７、燃料タンク
８、操作棹
９、刃物
１０、回転台
１１、サポート板
１２、遮熱板
１３、取付板
１４、１４Ａ、１４Ｂ、１４Ｃ、取付金具
１５、支持台
【図１】
0003172604.tif 000003
【図２】
0003172604.tif 000004
【図３】
0003172604.tif 000005
【図４】
0003172604.tif 000006
【図５】
0003172604.tif 000007